(57)【要約】【課題】乗員の体格等に対応させ易いようにする。【解決手段】車両内の側壁（Ｃピラー）Ｆから座席側に突出するアーム２０と、そのアームの先端に設けられたサイドヘッドレスト１０とを有する車両後部座席乗員用頭部支持装置Ａである。アーム２０は伸縮可能であると共に、レール３１に沿って車両前後方向に移動可能である。サイドヘッドレスト１０はアーム２０にボールジョイント２５等を介して傾斜可能となっている。不使用時、サイドヘッドレスト１０は車両側面内に収納可能であり（図鎖線状態）、アーム２０を所要長さ延ばしてサイドヘッドレスト１０を乗員頭部Ｈの位置に合わせる（図実線状態）。このように、サイドヘッドレスト１０が乗員の頭部位置に容易に対応することによって安定した休息（寛ぎ）を得ることができる。【選択図】図５
2017165263.tif 000002
【特許請求の範囲】
【請求項１】
車両内の側面から座席側に突出するアームと、前記アームの先端に設けられたサイドヘッドレストとを有し、前記アームと前記サイドヘッドレストは前記車両内の側面に収納可能であり、かつ、前記アームは伸縮可能である車両後部座席乗員用頭部支持装置。
【請求項２】
前記車両内の側面にレールを設け、前記レールに前記アームの基部を移動自在に支持し、前記レールに付設したラックに前記アームの基部に設けたモータ駆動のピニオンを噛み合わせて、前記サイドヘッドレストを車両の前後方向に移動可能とした請求項１に記載の車両後部座席乗員用頭部支持装置。
【請求項３】
前記サイドヘッドレストを前記アームの軸心に対して横方向に移動可能とした請求項１又は２に記載の車両後部座席乗員用頭部支持装置。
【請求項４】
前記サイドヘッドレストを前記アームの軸心に対して回転可能及び傾斜可能とした請求項１から３の何れか１項に記載の車両後部座席乗員用頭部支持装置。
【請求項５】
前記座席の背もたれ上部にヘッドレストを有する車両においては、前記ヘッドレストを上下方向に対して回転及び傾斜可能とした請求項１から４の何れか１項に記載の車両後部座席乗員用頭部支持装置。
【発明の詳細な説明】
【技術分野】
【０００１】
この発明は、車両後部座席の乗員の頭部を支える支持装置に関するものである。
【背景技術】
【０００２】
自動車等の車両において、後部座席（シート）の乗員は、シート背もたれ上部にヘッドレストが備えられておれば、通常、そのヘッドレストに頭部を支えて休息する。このとき、人は頭部を傾けて休むため、窓側（ピラー側）にサイドヘッドレストを設けることが考えられている（特許文献１第３図、特許文献２第５図等参照）。
【０００３】
その特許文献１記載のサイドヘッドレストは、リヤーピラーの側面にクッションからなる枕（ピロー）を起伏可能に設け、その枕を倒伏することによってリヤーピラー内に収め、起立させることによってシート背もたれ上部の横に位置させるものである。このため、不使用時、枕をリヤーピラー内に収めることによって運転者の後方視認の邪魔にならず、使用時には、枕をシート背もたれ上部の横に位置させて乗員頭部の側面（サイド）を支えることによって、安定した休息（寛ぎ）を担保するとしている(特許文献１第３図)。
特許文献２記載のサイドヘッドレストは、リヤーピラーの側面にクッションからなる枕を車両の前後方向に移動可能に設け、その枕を前後に移動させることにより乗員頭部の側面を支えることによって、安定した休息を担保するとしている(特許文献２第４図等参照)。
【先行技術文献】
【特許文献】
【０００４】
【特許文献１】実開昭５７−７０９３７号公報
【特許文献２】実開昭６３−６９６５３号公報
【発明の概要】
【発明が解決しようとする課題】
【０００５】
車両乗員は、子供や大人、また大人であっても体格等によって座席に座った状態における頭部の位置はさまざまであり、例えば、体格が良い大きな乗員は、座席を後方に下げるため、着座時の頭部は、通常より後側及び上方に位置し、逆に、子供等の体格が小さな乗員は、着座時の頭部は、通常より前側及び下方に位置する。
その場合、上記従来のサイドヘッドレストは、起伏するのみで、乗員の頭部の位置に必ずしも対応せず、また、前後動しても上下位置には対応しない。このため、乗員は、サイドヘッドレストの位置に自分自身の頭部を対応させる等しており、その体勢が休息に向かないものになる場合があった。
【０００６】
この発明は、以上の実状の下、乗員の体格等に対応させ易い車両後部座席乗員用頭部支持装置を提供することを課題とする。
【課題を解決するための手段】
【０００７】
前記課題を達成するために、この発明は、車両内の側面から座席側に突出するアームと、前記アームの先端に設けられたサイドヘッドレスト（ピロー）とを有し、前記アームと前記サイドヘッドレストは前記車両内の側面に収納可能であり、かつ、前記アームは伸縮可能である構成を採用したのである。
アームが伸縮可能であると、従来に無かったサイドヘッドレストの移動となるため、着座した乗員の頭部に対応し易くなる。
【０００８】
この構成において、前記アームは車両前後方向に移動可能とすることができる。前後に動けば、座席を前後に動かした際、その前後した座席にサイドヘッドレストを対応できる。
その前後方向の移動手段としては種々の態様が考えられるが、例えば、前記車両内の側面にレールを設け、前記レールに前記アームの基部を移動自在に支持し、前記レールに付設したラックに前記アームの基部に設けたモータ駆動のピニオンを噛み合わせて、前記サイドヘッドレストを車両の前後方向に移動可能とすることができる。
また、前記サイドヘッドレストを前記アームの軸心に対して横方向（上下方向）に移動可能とすれば、頭部の上下の位置に対応し易いものとなる。
さらに、前記サイドヘッドレストは前記アームの軸心に対して回転可能及び傾斜可能としたり、前記座席の背もたれ上部にヘッドレストを有する車両においては、前記ヘッドレストを上下方向に対して回転及び傾斜可能としたりすることができる。このようにすれば、頭部の態様により対応し易いものとなる。
【発明の効果】
【０００９】
この発明によれば、サイドヘッドレストをアームの伸縮によって乗員が座る座席背もたれに近づけたり遠ざけたりし得るため、乗員の頭部の位置への対応性が向上する。
【図面の簡単な説明】
【００１０】
【図１】この発明に係る車両後部座席乗員用頭部支持装置の一実施形態を取り付けた車両内の要部概略斜視図である。
【図２】同実施形態を示し、（ａ）は正面図、（ｂ）は側面図である。
【図３】同実施形態の概略斜視図である。
【図４】同実施形態のサイドヘッドレストを示し、（ａ）は図３における一部切欠き正面図、（ｂ）は一部切断平面図である。
【図５】同実施形態の使用状態説明図である。
【図６】同他の実施形態を示し、（ａ）は要部斜視図、（ｂ）は使用状態平面図である。
【図７】同実施形態においてアームにカバーを設けた概略斜視図である。
【発明を実施するための形態】
【００１１】
以下、この発明に係る車両後部座席乗員用頭部支持装置Ａの一実施形態を図面に基づいて説明する。図１、図３に示すように、この実施形態の頭部支持装置Ａは、クッション材等からなるサイドヘッドレスト１０と、そのサイドヘッドレスト１０を支持するアーム２０と、そのアーム２０を車両内の右側面（ＣピラーＦ）に前後方向移動可能に支持するレール機構３０とから成る。
【００１２】
サイドヘッドレスト１０は、図３、図４に示すように、四角状枠体１１にクッション材１２を設けたものである。
アーム２０は、筒状本体２１とその本体２１内に進退可能に挿入された進退杆２２と、その進退杆２２の先端にボールジョイント２３を介して連結された上下杆２４とから成る。その上下杆２４の先端にボールジョイント２５を介して前記サイドヘッドレスト１０の背面が支持されている。
前記アーム２０の進退杆２２は任意の突出（進退）位置において先端の締結輪２２ａをねじ締めすることによってその位置を固定し得る。
【００１３】
上下杆２４は進退杆２２に対し前記ボールジョイント２３を介して任意の傾斜方向に回転可能となっており、その回転位置でボルト（図示せず）のねじ込み（図２の符号２５ａ参照）等によってその位置が固定される。なお、ボールジョイント２３は回動しない構造としても良い。
また、サイドヘッドレスト１０の枠体１１は前記上下杆２４に対し前記ボールジョイント２５を介して任意の傾斜方向に回転可能となっており、その回転位置でボルト２５ａのねじ込み等によってその位置が固定される。このため、サイドヘッドレスト１０は、アーム２０に対して上下左右の任意の方向にその座面（当面）を変更可能である。
【００１４】
サイドヘッドレスト１０の枠体１１内にはクッション材１２と一体の支持板１３が枠体１１に対して昇降可能に設けられており、その支持板１３と枠体１１の間にラチェット機構１４が設けられている（図４参照）。ラチェット機構１４は、ラチェット爪１４ａとラチェットラック１４ｂ、バネ１４ｃとからなり、ラチェット爪１４ａが枠体１１に固定され、ラチェットラック１４ｂが支持板１３に形成され、バネ１４ｃが枠体１１とラチェット爪１４ａの一方との間に固定されて設けられている。このため、図４実線から鎖線で示すように、人手等によりラチェット爪１４ａの他方を押すことで、ラチェット爪１４ａの一方がバネ１４ｃに抗してラチェットラック１４ｂとの噛み合いを外し、クッション材１２を上下杆２４（アーム２０）に対し上下動させ、その任意の上下動位置でラチェット爪１４ａの他方を離すとバネ１４ｃによってラチェット爪１４ａの一方が押し戻され、図４鎖線から実線で示すように、ラチェット爪１４ａがラチェットラック１４ｂに噛み合ってクッション材１２の上下動位置が固定される。 
ラチェット機構１４は左右に設けなくてもどちらか一方だけでも良い。この場合、支持板１３の他方の側縁（ラチェット機構を設けない縁）にはガイドを設ける。
【００１５】
レール機構３０は、ピラーＦ内に設けた前後方向のレール３１と、そのレール３１に移動自在に設けた移動体３２とから成る。レール３１は、断面逆横向きコ字状の型材であり、その上側フランジ３１ａ端面がラック３３になって下側フランジ３１ｂが逆Ｕ字状となっている。移動体３２は、前記レール３１に嵌る断面コ字状の枠体であり、その上側フランジ３２ａがコロ３４を介してレール３１の上側フランジ３１ａの上向き溝に嵌り、下側フランジ３２ｂの先端がレール３１の下側フランジ３１ｂの下向き溝に嵌っている。
また、レール３１のラック３３には移動体３２のモータＭで回転するピニオン３５が噛み合っている。このため、モータＭによってレール３１に沿って移動体３２が前後に移動する。
【００１６】
なお、移動体３２の下側フランジ３２ｂにも前記コロ３４と同様なコロを設けることもできる。モータＭは電磁ブレーキ付きを採用して任意の移動位置でその位置を固定するようにすることができる。また、モータＭの出力軸がラック３３と直交しない場合は、ピニオン３５を傘歯車構造とすることができる。
【００１７】
移動体３２の側面にはアーム２０（本体２１）の基部が上下方向回転可能に連結されており、この連結部２６は、図示しないボルト等によってその連結角度（アーム２０の突出角度）を固定し得るようになっている。この連結部２６は、ボールジョイントとして、同様に、ボルト等によってその連結角度を固定し得る。また、この連結部２６を電磁ブレーキ付きのモータによって構成し、そのモータの駆動によってアーム２０を任意の突出角度にするとともに、その位置で固定することもできる。
【００１８】
この車両後部座席乗員用頭部支持装置Ａは以上の構成であり、つぎにその作用について図１、図２、図５等に基づいて説明する。まず、不使用時は、図１、図２、図５鎖線で示すように、車両内の側面（ピラーＦ）内に収納して運転者の後方確認の邪魔にならないようにする。このように、この車両後部座席乗員用頭部支持装置ＡがピラーＦ内に納まれば、三列座席以上の車両の場合、後部座席の乗り降りに支障がなく、その後部座席の乗員の前方への視覚の妨げにもならない。
【００１９】
つぎに、使用時には、図５実線に示すように、アーム２０を所要角度に起立させるとともに進退杆２２を引き出して所要の長さに設定し、さらに、サイドヘッドレスト１０を所要の角度に調整し、乗員の頭部Ｈを気持ちよく支持するようにする。
このとき、図６に示すように、シート背もたれＳの上部のヘッドレスト５０を固定可能なボールジョイント５１を介して傾斜可能とすると、乗員の頭部Ｈをよりフィット感をもって支持することができる。
【００２０】
上記実施形態において、アーム２０は１本に限らず、２本等の複数とし得る。このとき、その本数に応じて移動体３２もその数を増やしたり、移動体３２をレールの長さ方向に長くしたりして各アーム２０を支持する大きさとする。筒状本体２１をピラーＦの天井コーナ部内等に納まる大きさにすれば、本体２１は移動体３２に対して上下に回転させなくても良い。図７に示すように、アーム２０にはカバー２９を設けることができる。このとき、進退杆２２のカバー２９は進退杆２２と一体に動いて本体２１のカバー２９内に収納するようにする。
【００２１】
また、アーム２０は四節リンク機構としたり、パンタグラフ機構等としたりして伸縮するようにすることができる。
さらに、アーム２０の関節部分を成すボールジョイントを電磁ブレーキ付モータによって任意の角度に回転・停止可能とすることができる。すなわち、ロボットアーム機構とすれば、サイドヘッドレスト１０を前後左右及びシート背もたれ上部のヘッドレスト５０に向かう３次元方向に移動させて、頭部Ｈの任意の位置に対応することができる。
【００２２】
なお、この発明に係る車両後部座席乗員用頭部支持装置Ａは最後部座席にも採用することができる。このとき、シート背もたれ上部にヘッドレスト５０が備えられていない車両、例えばセダン車の後部座席（特許文献２第５図参照）においては、サイドヘッドレスト１０の後側縁にヘッドレストをサイドヘッドレストの側縁にその座面に重なるように起伏自在に付設することができる。また、可能であれば、左座席（左側面ピロー）に設けることもできる。
【００２３】
Ａ  車両後部座席乗員用頭部支持装置
Ｆ  ピラー（側壁）
Ｓ  座席（シート背もたれ）
１０  サイドヘッドレスト
１１  サイドヘッドレストの枠体
１２  同クッション材
１３  同支持板
１４  同ラチェット機構
１４ａ  ラチェット爪
１４ｂ  ラチェットラック
１４ｃ  ラチェットバネ
２０  アーム
２１  アームの筒状本体
２２  同進退杆
２３、２５  同ボールジョイント
２４  同上下杆
２９  アームカバー
３０  レール機構
３１  レール
３２  移動体
３３  ラック
３４  移動体のコロ
３５  モータ駆動のピニオン
５０  シート（座席）背もたれ上部のヘッドレスト
５１  同ヘッドレストのボールジョイント
【図１】
2017165263.tif 000003
【図２】
2017165263.tif 000004
【図３】
2017165263.tif 000005
【図４】
2017165263.tif 000006
【図５】
2017165263.tif 000007
【図６】
2017165263.tif 000008
【図７】
2017165263.tif 000009